(57)【要約】【課題】表示装置がストリームデータを無線で順次受信する場合に、ストリームデータに含まれる映像データおよび音データのうち、音データのみを有線で外部に出力する。【解決手段】表示装置は、映像データと音データとを含むストリームデータを無線で受信する受信部と、前記ストリームデータから前記映像データと前記音データとを分離する分離部と、前記映像データに基づく映像を表示する表示処理部と、前記音データを、有線で接続される音出力装置に出力する出力処理部と、を備える。【選択図】図２
2019220765.tif 000002
【特許請求の範囲】
【請求項１】
映像データと音データとを含むストリームデータを無線で受信する受信部と、
前記ストリームデータから前記映像データと前記音データとを分離する分離部と、
前記映像データに基づく映像を表示する表示処理部と、
前記音データを、有線で接続される音出力装置に出力する出力処理部と、
を備えることを特徴とする表示装置。
【請求項２】
前記出力処理部は、前記音データを、ＨＤＭＩケーブルのオーディオリターンチャネルに対応するフォーマットに変換する変換部を有し、前記変換部による前記フォーマットの変換後の前記音データを、前記音出力装置に出力する、
ことを特徴とする請求項１に記載の表示装置。
【請求項３】
前記映像データから分離後の前記音データを遅延させる遅延部を備える、
ことを特徴とする請求項１または２に記載の表示装置。
【請求項４】
前記遅延部は、前記音データの遅延量を、前記表示処理部により実行される前記映像データに対する画像処理の内容に応じて調整し、
前記表示処理部は、前記映像データに対する画像処理を実行して、前記映像データに基づく映像を生成する、
ことを特徴とする請求項３に記載の表示装置。
【請求項５】
ユーザーによる操作を受け付ける操作部を備え、
前記遅延部は、前記音データの遅延量を調整する遅延調整の操作を前記操作部が受け付けると、前記遅延調整の操作に応じて、前記音データの遅延量を調整する、
ことを特徴とする請求項３または４に記載の表示装置。
【請求項６】
前記遅延部は、前記音データのフォーマットに応じて、前記音データの遅延量を調整する、
ことを特徴とする請求項３から５のいずれか１項に記載の表示装置。
【請求項７】
音出力装置に有線で接続される表示装置の制御方法であって、
映像データと音データとを含むストリームデータを無線で受信し、
前記ストリームデータから前記映像データと前記音データとを分離し、
前記映像データに基づく映像を表示し、
前記音データを、前記音出力装置に出力する、
ことを特徴とする表示装置の制御方法。
【発明の詳細な説明】
【技術分野】
【０００１】
本発明は、表示装置および表示装置の制御方法に関する。
【背景技術】
【０００２】
プロジェクター等の表示装置は、例えば、ホームシアターに使用される場合、ＤＶＤ（Digital Versatile Disk）プレーヤー等の画像再生装置から映像信号および音信号を受ける。例えば、スピーカーを内蔵するプロジェクターは、映像信号に基づく映像を表示するとともに、音信号に基づく音を、内蔵のスピーカーから出力する。なお、プロジェクターに内蔵されるスピーカーを使用しない場合、または、プロジェクターにスピーカーが内蔵されていない場合、例えば、音を出力する音出力装置として、外部スピーカーが用いられる。特許文献１には、プロジェクターとＤＶＤプレーヤーとを無線で接続し、ＤＶＤプレーヤーと外部スピーカーとを有線で接続するシステムが開示されている。
【０００３】
また、Ｍｉｒａｃａｓｔの機能を有するプロジェクターが知られている。なお、Ｍｉｒａｃａｓｔは、登録商標である。Ｍｉｒａｃａｓｔの機能を有するプロジェクターは、映像のデータである映像データと音のデータである音データとを含むストリームデータを無線で受信し、映像データに基づく映像を表示し、音データに基づく音を内蔵のスピーカーから出力する。
【先行技術文献】
【特許文献】
【０００４】
【特許文献１】特開２００５−２１０４４９号公報
【発明の概要】
【発明が解決しようとする課題】
【０００５】
しかし、従来のプロジェクターでは、無線で順次受信するストリームデータに含まれる映像データおよび音データのうち、音データのみを有線で外部のスピーカーに出力することが困難である。
【課題を解決するための手段】
【０００６】
上記課題を解決するために本発明の表示装置の一態様は、映像データと音データとを含むストリームデータを無線で受信する受信部と、前記ストリームデータから前記映像データと前記音データとを分離する分離部と、前記映像データに基づく映像を表示する表示処理部と、前記音データを、有線で接続される音出力装置に出力する出力処理部と、を備える。
【０００７】
また、本発明に係る表示装置の制御方法の一態様は、音出力装置に有線で接続される表示装置の制御方法であって、映像データと音データとを含むストリームデータを無線で受信し、前記ストリームデータから前記映像データと前記音データとを分離し、前記映像データに基づく映像を表示し、前記音データを、前記音出力装置に出力する。
【図面の簡単な説明】
【０００８】
【図１】本発明の第１実施形態に係る表示装置の説明図である。
【図２】第１実施形態に係る表示装置の構成を示すブロック図である。
【図３】第１実施形態に係る表示装置の動作の一例を示すフローチャートである。
【図４】第２実施形態に係る表示装置の構成を示すブロック図である。
【図５】第４実施形態に係る表示装置の構成を示すブロック図である。
【図６】遅延部が遅延させる音データの遅延量の説明図である。
【図７】第４実施形態に係る表示装置の構成を示すブロック図である。
【図８】第５実施形態に係る表示装置の構成を示すブロック図である。
【図９】第６実施形態に係る表示装置の構成を示すブロック図である。
【発明を実施するための形態】
【０００９】
以下、図面を参照しながら実施形態を説明する。なお、図面において各部の寸法および縮尺は実際のものと適宜異なる。本実施形態には、技術的に好ましい種々の限定が付されている。しかしながら、本発明の範囲は、これらの形態に限られるものではない。
【００１０】
＜第１実施形態＞
本発明の第１実施形態について図１から図３を参照しつつ説明する。図１は、本発明の第１実施形態に係る表示装置１０の説明図である。図１に示す表示装置１０は、画像再生装置２０に無線で接続され、音出力装置３０にケーブル２を用いて有線で接続される。例えば、表示装置１０は、無線通信によるディスプレイ伝送技術を用いて送信されるストリームデータを再生する機能を含むプロジェクターである。なお、ストリームデータは、映像のデータである映像データと音のデータである音データとを含む。また、ストリームデータを無線で伝送する技術として、例えば、Ｍｉｒａｃａｓｔ、ＷｉｒｅｌｅｓｓＨＤ、ＡｉｒＰｌａｙ、ＷＨＤＩ（Wireless Home Digital Interface）、ＷｉＧｉｇ等を用いることができる。ＷｉｒｅｌｅｓｓＨＤ、ＡｉｒＰｌａｙ、およびＷｉＧｉｇは、登録商標である。
【００１１】
例えば、表示装置１０は、画像再生装置２０から無線で受信するストリームデータに含まれる映像データに基づく映像をスクリーン４０に投射して表示し、ストリームデータに含まれる音データを音出力装置３０に出力する。この結果、スクリーン４０に表示される映像に対応する音が音出力装置３０から出力される。表示装置１０に接続される音出力装置３０は、１つでもよいし、複数でもよい。すなわち、表示装置１０に接続されるケーブル２は、１つでもよいし、複数でもよい。なお、表示装置１０の詳細は、図２で説明する。
【００１２】
画像再生装置２０は、例えば、ストリームデータを無線で伝送する機能を有するＤＶＤプレーヤー等であり、スクリーン４０に表示する映像等のデータを含むストリームデータを表示装置１０に無線で送信する。なお、画像再生装置２０は、ストリームデータを無線で伝送する機能を有していれば、Ｂｌｕ−ｒａｙディスクプレーヤー、ハードディスクレコーダー、テレビチューナー装置、ケーブルテレビのセットトップボックス、パーソナルコンピューター、スマートフォン、ビデオゲーム機等でもよい。Ｂｌｕ−ｒａｙは、登録商標である。
【００１３】
音出力装置３０は、音データから音を再生する機能を有する。音データから音を再生する機能は、音データを復号する機能、デジタル信号をアナログ信号に変換する機能、およびアナログ信号に基づいて音波を発生させる機能等を含む。音出力装置３０には、ＡＶアンプ、ＤＡ変換器、またはスピーカーが含まれ得る。音出力装置３０は、表示装置１０からケーブル２を介して受信する音データに基づいて、音を再生して出力する。ケーブル２は、デジタル音データの伝送に対応するケーブルである。例えば、ケーブル２は、ＳＰＤＩＦ（Sony Philips Digital Interface）規格に準拠した光ケーブルまたは同軸ケーブルでもよいし、ＨＤＭＩ（High Definition Multimedia Interface）ケーブルでもよい。ＨＤＭＩは、登録商標である。
【００１４】
図２は、第１実施形態に係る表示装置１０の構成を示すブロック図である。表示装置１０は、受信部１００、分離部１２０、表示処理部１４０、出力処理部１６０、制御部１８０および記憶部１８２を有する。
【００１５】
受信部１００は、例えば、無線ＬＡＮ等の無線通信インターフェースである。受信部１００は、映像データＤｖと音データＤａとを含むストリームデータＤｓｔを画像再生装置２０から無線で受信する。例えば、Ｍｉｒａｃａｓｔでは、Ｈ．２６４に準拠する映像データＤｖと、ＬＰＣＭ（Linear Pulse Code Modulation）等に準拠する音データＤａとがＭＰＥＧ２−ＴＳ（Moving Picture Experts Group 2 Transport Stream）を用いて多重化される。したがって、無線によるデータ伝送技術としてＭｉｒａｃａｓｔが用いられる場合、受信部１００は、Ｈ．２６４に準拠する映像データＤｖとＬＰＣＭ等に準拠する音データＤａとがＭＰＥＧ２−ＴＳに多重化されて生成されるストリームデータＤｓｔを受信する。そして、受信部１００は、ストリームデータＤｓｔを分離部１２０に転送する。
【００１６】
分離部１２０は、受信部１００から受けるストリームデータＤｓｔから、映像データＤｖと音データＤａとを分離する。例えば、分離部１２０は、映像データＤｖと音データＤａとが時分割多重されているストリームデータＤｓｔを時分割分離して、映像データＤｖと音データＤａとを出力する。そして、分離部１２０は、映像データＤｖを表示処理部１４０に転送し、音データＤａを出力処理部１６０に転送する。
【００１７】
表示処理部１４０は、分離部１２０から受ける映像データＤｖに基づく映像をスクリーン４０に表示する。例えば、表示処理部１４０は、画像処理部１４２および投射部１４４を有する。
【００１８】
画像処理部１４２は、Ｈ．２６４等の動画圧縮規格に準拠して符号化される映像データＤｖを復号する機能を有する。例えば、画像処理部１４２は、分離部１２０から受ける映像データＤｖを復号して、スクリーン４０に表示する映像のデータを生成する。そして、画像処理部１４２は、スクリーン４０に表示する映像のデータを投射部１４４に転送する。なお、画像処理部１４２は、解像度を変換する解像度変換処理、輝度および彩度を調整する色調補正処理、スクリーン４０に投射される画像の台形歪みを補正するキーストン補正処理等の画像処理を実行してもよい。
【００１９】
投射部１４４は、画像処理部１４２から受ける映像のデータに基づく映像をスクリーン４０に投射して表示する。例えば、投射部１４４は、画像処理部１４２から受ける映像のデータに基づいて、投射部１４４内の図示しない液晶ライトバルブを駆動する。そして、投射部１４４内の液晶ライトバルブが、投射部１４４内の図示しない光源から出射される光を変調して画像光を生成する。画像光が投射部１４４からスクリーン４０に投射されることにより、スクリーン４０に映像が表示される。すなわち、投射部１４４は、画像処理部１４２から受ける映像のデータに基づいて生成される画像光をスクリーン４０に投射して、映像データＤｖに基づく映像をスクリーン４０に表示する。
【００２０】
出力処理部１６０は、分離部１２０から受ける音データＤａを、有線で接続される音出力装置３０に出力する。例えば、出力処理部１６０は、ケーブル２を用いて音出力装置３０に接続され、音データＤａを音出力装置３０に出力するインターフェースとして機能する。音出力装置３０は、出力処理部１６０からケーブル２を介して受ける音データＤａから音を再生する。すなわち、表示装置１０は、スクリーン４０に表示する映像に対応する音を、音出力装置３０から出力させる。例えば、表示装置１０および音出力装置３０は、ストリームデータＤｓｔに含まれるタイムスタンプに基づいて映像および音をそれぞれ再生することにより、映像と音とを同期させる。
【００２１】
制御部１８０は、例えば、表示装置１０の動作を制御するＣＰＵ（Central Processing Unit）等のコンピューターである。制御部１８０は、１または複数のプロセッサーを有してもよい。制御部１８０は、記憶部１８２に記憶されているプログラムを読み取り実行することによって、表示装置１０内の受信部１００等の各ブロックの動作を制御する。なお、図２では、図を見やすくするために、受信部１００、分離部１２０、画像処理部１４２、投射部１４４および出力処理部１６０の各々と、制御部１８０とを接続する制御線の記載を省略している。
【００２２】
図２に示すように、表示装置１０は、無線で順次受信するストリームデータＤｓｔに含まれる映像データＤｖおよび音データＤａのうち、音データＤａのみを有線で外部の音出力装置３０に出力できる。この結果、表示装置１０では、スクリーン４０に表示する映像に対応する音を外部の音出力装置３０から出力させることができ、使い勝手等のユーザービリティを向上させることができる。例えば、表示装置１０は、マルチチャンネルの音データＤａを含むストリームデータＤｓｔを受信する場合、マルチチャンネルの音出力に対応するＡＶアンプ等の音出力装置３０に音データＤａを出力することにより、臨場感のある音をユーザーに容易に聴かせることができる。
【００２３】
図３は、第１実施形態に係る表示装置１０の動作の一例を示すフローチャートである。図３に示す動作は、表示装置１０の制御方法の一例である。
【００２４】
先ず、ステップＳ１００では、表示装置１０は、映像データＤｖと音データＤａとを含むストリームデータＤｓｔを画像再生装置２０から無線で受信する。
次に、ステップＳ２００では、表示装置１０は、ストリームデータＤｓｔから映像データＤｖと音データＤａとを分離する。
次に、ステップＳ３００では、表示装置１０は、映像データＤｖに基づく映像をスクリーン４０に表示し、音データＤａを音出力装置３０に出力する。ステップＳ３００の処理により、ストリームデータＤｓｔに含まれる映像データＤｖに基づく映像がスクリーン４０に表示され、スクリーン４０に表示される映像に対応する音が音出力装置３０から出力される。
【００２５】
以上、第１実施形態では、表示装置１０は、受信部１００、分離部１２０、表示処理部１４０および出力処理部１６０を有する。受信部１００は、映像データＤｖと音データＤａとを含むストリームデータＤｓｔを無線で受信する。分離部１２０は、ストリームデータＤｓｔから映像データＤｖと音データＤａとを分離する。そして、表示処理部１４０は、映像データＤｖに基づく映像を表示する。また、出力処理部１６０は、音データＤａを、有線で接続される音出力装置３０に出力する。すなわち、表示装置１０は、無線で受信するストリームデータＤｓｔに含まれる映像データＤｖおよび音データＤａのうち、音データＤａのみを有線で外部の音出力装置３０に出力できる。この結果、表示装置１０では、使い勝手等のユーザービリティを向上させることができる。
【００２６】
＜第２実施形態＞
第２実施形態と第１実施形態の主な相違点は、音出力装置３０に出力する音データＤａ２のフォーマットを、ストリームデータＤｓｔに含まれる音データＤａのフォーマットから変更可能である点である。
【００２７】
図４は、第２実施形態に係る表示装置１０Ａの構成を示すブロック図である。図１から図３で説明済みの要素と同一の要素については、同一の符号を付し、詳細な説明を省略する。表示装置１０Ａは、出力処理部１６０Ａを図２の出力処理部１６０の代わりに有することを除いて、第１実施形態の表示装置１０と同一である。例えば、表示装置１０Ａは、受信部１００、分離部１２０、表示処理部１４０、出力処理部１６０Ａ、制御部１８０および記憶部１８２を有する。受信部１００、分離部１２０、表示処理部１４０、制御部１８０および記憶部１８２は、第１実施形態と同一である。このため、図４では、出力処理部１６０Ａを中心に説明する。なお、図４においても、図を見やすくするために、受信部１００、分離部１２０、画像処理部１４２、投射部１４４および出力処理部１６０Ａの各々と、制御部１８０とを接続する制御線の記載を省略している。
【００２８】
図４に示す例では、表示装置１０Ａは、オーディオリターンチャネル対応のＨＤＭＩケーブルで音出力装置３０に接続される。すなわち、第２実施形態では、図１のケーブル２は、オーディオリターンチャネル対応のＨＤＭＩケーブルであり、出力処理部１６０Ａは、ＨＤＭＩケーブルのオーディオリターンチャネルに対応するインターフェースとして機能する。以下、オーディオリターンチャネルは、ＡＲＣ（Audio Return Channel）とも称される。
【００２９】
例えば、出力処理部１６０Ａは、音データＤａを、ＨＤＭＩケーブルのＡＲＣに対応するフォーマットに変換する変換部１６２を有する。そして、出力処理部１６０Ａは、ＨＤＭＩケーブルのＡＲＣに対応するフォーマットの音データＤａ２を、音出力装置３０に出力する。ＨＤＭＩケーブルのＡＲＣに対応するフォーマットは、例えば、ＳＰＤＩＦ等である。
【００３０】
例えば、変換部１６２は、分離部１２０から受ける音データＤａのフォーマットをＨＤＭＩケーブルのＡＲＣに対応するフォーマットに変換して、音データＤａ２を生成する。そして、変換部１６２は、音データＤａ２を、ＡＲＣ対応のＨＤＭＩケーブルを介して音出力装置３０に出力する。なお、出力処理部１６０Ａは、ストリームデータＤｓｔに含まれる音データＤａのフォーマットがＨＤＭＩケーブルのＡＲＣに対応するフォーマットである場合、分離部１２０から受ける音データＤａを、フォーマットを変換せずに、音データＤａ２として音出力装置３０に出力する。
【００３１】
以上、第２実施形態においても、第１実施形態と同様の効果を得ることができる。また、第２実施形態では、出力処理部１６０Ａは、音データＤａをＨＤＭＩケーブルのＡＲＣに対応するフォーマットに変換する変換部１６２を有し、ＨＤＭＩケーブルのＡＲＣに対応するフォーマットの音データＤａ２を音出力装置３０に出力する。したがって、表示装置１０Ａでは、スクリーン４０に表示する映像に対応する音をＨＤＭＩケーブルのＡＲＣに対応する音出力装置３０から出力させることができ、使い勝手等のユーザービリティを向上させることができる。
【００３２】
＜第３実施形態＞
第３実施形態と第２実施形態の主な相違点は、音データＤａを遅延させる点である。
【００３３】
図５は、第３実施形態に係る表示装置１０Ｂの構成を示すブロック図である。図１から図４で説明済みの要素と同一の要素については、同一の符号を付し、詳細な説明を省略する。表示装置１０Ｂは、遅延部１５０が図４の表示装置１０Ａに追加されることを除いて、図４の表示装置１０Ａと同一である。例えば、表示装置１０Ｂは、受信部１００、分離部１２０、表示処理部１４０、遅延部１５０、出力処理部１６０Ａ、制御部１８０および記憶部１８２を有する。受信部１００、分離部１２０、表示処理部１４０、出力処理部１６０Ａ、制御部１８０および記憶部１８２は、第２実施形態と同一である。このため、図５では、遅延部１５０を中心に説明する。なお、図５においても、図を見やすくするために、受信部１００、分離部１２０、投射部１４４および出力処理部１６０Ａの各々と、制御部１８０とを接続する制御線の記載を省略している。
【００３４】
遅延部１５０は、例えば、分離部１２０から音データＤａを受ける。そして、遅延部１５０は、分離部１２０から受ける音データＤａを遅延させて出力処理部１６０Ａに出力する。すなわち、遅延部１５０は、映像データＤｖから分離後の音データＤａを遅延させる。
【００３５】
例えば、遅延部１５０が遅延させる音データＤａの遅延量は、音の出力遅延時間と映像の出力遅延時間とが互いに揃うように、表示装置１０Ｂの仕様等に応じて予め設定される。音の出力遅延時間は、例えば、分離部１２０により映像データＤｖと音データＤａとが分離されてから、音出力装置３０から音が出力されるまでの時間である。また、映像の出力遅延時間は、例えば、分離部１２０により映像データＤｖと音データＤａとが分離されてから、投射部１４４から画像光が投射されるまでの時間である。また、音データＤａの遅延量の設定に関わる表示装置１０Ｂの仕様は、例えば、表示装置１０Ｂが映像を投射する際の輝度、画像処理部１４２が実行する画像処理の内容等である。
【００３６】
図６は、遅延部１５０が遅延させる音データＤａの遅延量の説明図である。第１映像遅延時間ＴＤｖ１は、画像処理部１４２が映像データＤｖを受けてからスクリーン４０に表示する映像のデータを出力するまでの処理時間を示す。例えば、第１映像遅延時間ＴＤｖ１には、画像処理部１４２が実行する画像処理の処理時間が含まれる。第２映像遅延時間ＴＤｖ２は、投射部１４４が映像のデータを画像処理部１４２から受けてから画像光を投射するまでの処理時間を示す。すなわち、第１映像遅延時間ＴＤｖ１と第２映像遅延時間ＴＤｖ２との和は、映像の出力遅延時間に対応する。
【００３７】
調整遅延時間Ｔａｄｊは、音データＤａが分離部１２０から出力されてから出力処理部１６０Ａに到達するまでの時間を示す。第１音遅延時間ＴＤａ１は、出力処理部１６０Ａが音データＤａを受けてから音データＤａ２を出力するまでの処理時間を示す。例えば、第１音遅延時間ＴＤａ１には、変換部１６２が実行する変換処理の処理時間が含まれる。第２音遅延時間ＴＤａ２は、音出力装置３０が音データＤａ２を受けてから音を出力するまでの処理時間を示す。すなわち、調整遅延時間Ｔａｄｊと第１音遅延時間ＴＤａ１と第２音遅延時間ＴＤａ２との和は、音の出力遅延時間に対応する。
【００３８】
例えば、遅延部１５０が遅延させる音データＤａの遅延量は、調整遅延時間Ｔａｄｊが式（１）で表される値に近づくように予め設定される。この結果、遅延部１５０は、音の出力遅延時間と映像の出力遅延時間とが互いに揃うように、音データＤａを遅延させることができる。
Ｔａｄｊ＝ＴＤｖ１＋ＴＤｖ２−（ＴＤａ１＋ＴＤａ２）    …（１）
【００３９】
以上、第３実施形態においても、第２実施形態と同様の効果を得ることができる。さらに、第３実施形態では、遅延部１５０は、映像データＤｖから分離後の音データＤａを遅延させる。例えば、遅延部１５０は、音の出力遅延時間と映像の出力遅延時間とが互いに揃うように、音データＤａを遅延させる。この結果、表示装置１０Ｂは、スクリーン４０に表示する映像と音出力装置３０から出力される音とがずれることを抑制できる。
【００４０】
＜第４実施形態＞
第４実施形態と第３実施形態の主な相違点は、音データＤａの遅延量が画像処理部１４２による画像処理の内容に応じて調整される点である。
【００４１】
図７は、第４実施形態に係る表示装置１０Ｃの構成を示すブロック図である。図１から図６で説明済みの要素と同一の要素については、同一の符号を付し、詳細な説明を省略する。表示装置１０Ｃは、遅延部１５０Ａを図５の遅延部１５０の代わりに有することを除いて、図５の表示装置１０Ｂと同一である。例えば、表示装置１０Ｃは、受信部１００、分離部１２０、表示処理部１４０、遅延部１５０Ａ、出力処理部１６０Ａ、制御部１８０および記憶部１８２を有する。受信部１００、分離部１２０、表示処理部１４０、出力処理部１６０Ａ、制御部１８０および記憶部１８２は、第３実施形態と同一である。このため、図７では、遅延部１５０Ａを中心に説明する。なお、図７においても、図を見やすくするために、受信部１００、分離部１２０、投射部１４４および出力処理部１６０Ａの各々と、制御部１８０とを接続する制御線の記載を省略している。
【００４２】
画像処理部１４２は、例えば、分離部１２０から受ける映像データＤｖを復号し、復号後の映像データＤｖに対して、解像度変換処理、色調補正処理およびキーストン補正処理等の画像処理を実行する。すなわち、画像処理部１４２は、分離部１２０から受ける映像データＤｖに対する画像処理を実行する。
【００４３】
遅延部１５０Ａは、例えば、分離部１２０から音データＤａを受ける。そして、遅延部１５０Ａは、分離部１２０から受ける音データＤａを、画像処理部１４２による画像処理の内容に応じて遅延させて出力処理部１６０Ａに出力する。すなわち、遅延部１５０Ａは、音データＤａの遅延量を、画像処理部１４２による画像処理の内容に応じて遅延させて出力処理部１６０Ａに出力する。換言すれば、遅延部１５０Ａは、ストリームデータＤｓｔから映像データＤｖと音データＤａとを分離してから音データＤａ２を音出力装置３０に出力するまでの遅延量を、画像処理部１４２による画像処理の内容に応じて調整する。画像処理部１４２による画像処理は、表示処理部１４０により実行される映像データＤｖに対する画像処理の一例である。
【００４４】
例えば、キーストン補正処理が実行される第１処理モードと、キーストン補正処理が実行されない第２処理モードとを表示装置１０Ｃが有する場合、第１処理モードと第２処理モードとで、画像処理部１４２による画像処理の内容が異なる。第１処理モードでは、キーストン補正処理が実行されるため、画像処理部１４２が実行する画像処理の処理時間は、第２処理モードに比べて長い。
【００４５】
このため、遅延部１５０Ａは、表示装置１０Ｃの処理モードが第１処理モードである場合、音データＤａの遅延量を、表示装置１０Ｃの処理モードが第２処理モードである場合に比べて大きくする。すなわち、遅延部１５０Ａは、音の出力遅延時間と映像の出力遅延時間とが互いに揃うように、表示装置１０Ｃの処理モードに応じて、音データＤａの遅延量を調整する。なお、遅延部１５０Ａが遅延させる音データＤａの遅延量の初期値は、例えば、音の出力遅延時間と映像の出力遅延時間とが互いに揃うように、表示装置１０Ｃの仕様等に応じて予め設定される。
【００４６】
制御部１８０は、表示装置１０Ｃの処理モードに基づく画像処理が映像データＤｖに対して実行されるように、画像処理部１４２を制御する。また、制御部１８０は、表示装置１０Ｃの処理モード、または、表示装置１０Ｃの処理モードに基づく遅延量を、遅延部１５０Ａに通知する。なお、表示装置１０Ｃの処理モードの通知は、画像処理の内容の通知に対応し、表示装置１０Ｃの処理モードに基づく遅延量の通知は、画像処理の内容に基づく遅延量の通知に対応する。
【００４７】
以上、第４実施形態においても、第３実施形態と同様の効果を得ることができる。さらに、第４実施形態では、遅延部１５０Ａは、音データＤａの遅延量を、表示処理部１４０により実行される映像データＤｖに対する画像処理の内容に応じて調整する。このため、表示装置１０Ｃは、例えば、映像データＤｖに対する画像処理の処理時間が長くなる場合でも、スクリーン４０に表示する映像と音出力装置３０から出力される音とのずれが大きくなることを抑制できる。
【００４８】
＜第５実施形態＞
第５実施形態と第４実施形態の主な相違点は、音データＤａの遅延量がユーザーにより調整可能である点である。
【００４９】
図８は、第５実施形態に係る表示装置１０Ｄの構成を示すブロック図である。図１から図７で説明済みの要素と同一の要素については、同一の符号を付し、詳細な説明を省略する。表示装置１０Ｄでは、操作部１７０が図７の表示装置１０Ｃに追加される。また、表示装置１０Ｄは、遅延部１５０Ｂを図７の遅延部１５０Ａの代わりに有する。表示装置１０Ｄのその他の構成は、図７の表示装置１０Ｃと同一である。例えば、表示装置１０Ｄは、受信部１００、分離部１２０、表示処理部１４０、遅延部１５０Ｂ、出力処理部１６０Ａ、操作部１７０、制御部１８０および記憶部１８２を有する。受信部１００、分離部１２０、表示処理部１４０、出力処理部１６０Ａ、制御部１８０および記憶部１８２は、第４実施形態と同一である。このため、図８では、遅延部１５０Ｂおよび操作部１７０を中心に説明する。なお、図８においても、図を見やすくするために、受信部１００、分離部１２０、投射部１４４および出力処理部１６０Ａの各々と、制御部１８０とを接続する制御線の記載を省略している。
【００５０】
操作部１７０は、ユーザーによる操作を受け付ける。なお、操作部１７０は、表示装置１０Ｄの本体に設けられる操作ボタン等でもよいし、表示装置１０Ｄを遠隔操作するためのリモコン装置でもよい。ユーザーによる操作の内容は、操作部１７０から制御部１８０に通知される。制御部１８０は、操作部１７０がユーザーによる操作を受け付けると、ユーザーによる操作の内容、または、ユーザーによる操作の内容に基づく遅延量を、遅延部１５０Ｂに通知する。なお、遅延部１５０Ｂが遅延させる音データＤａの遅延量の初期値は、例えば、音の出力遅延時間と映像の出力遅延時間とが互いに揃うように、表示装置１０Ｄの仕様等に応じて予め設定される。
【００５１】
遅延部１５０Ｂは、音データＤａの遅延量を調整する遅延調整の操作を操作部１７０が受け付けると、音データＤａの遅延量を、遅延調整の操作に応じて調整する。すなわち、遅延部１５０Ｂは、音データＤａ遅延量を調整する遅延調整の操作を操作部１７０が受け付けると、ストリームデータＤｓｔから映像データＤｖと音データＤａとを分離してから音データＤａ２を音出力装置３０に出力するまでの遅延量を、遅延調整の操作に応じて調整する。
【００５２】
例えば、遅延部１５０Ｂは、音データＤａの遅延量を大きくする遅延調整の操作を操作部１７０が受け付けると、音データＤａの遅延量を現状の遅延量より大きくする。あるいは、遅延部１５０Ｂは、音データＤａの遅延量を小さくする遅延調整の操作を操作部１７０が受け付けると、音データＤａの遅延量を現状の遅延量より小さくする。
【００５３】
なお、遅延部１５０Ｂは、図７の遅延部１５０Ａと同様に、音データＤａの遅延量を、画像処理部１４２による画像処理の内容に応じて調整してもよい。この場合、制御部１８０は、表示装置１０Ｃの処理モード、または、表示装置１０Ｃの処理モードに基づく遅延量を、遅延部１５０Ｂに通知する。そして、遅延部１５０Ｂは、音データＤａの遅延量を、画像処理部１４２による画像処理の内容に応じて調整する。さらに、遅延部１５０Ｂは、音データＤａの遅延量を調整する遅延調整の操作を操作部１７０が受け付けると、音データＤａの遅延量を、遅延調整の操作に応じて調整する。
【００５４】
例えば、遅延部１５０Ｂは、音データＤａの遅延量を大きくする遅延調整の操作を操作部１７０が受け付けると、音データＤａの遅延量を、画像処理の内容に応じて調整済みの現状の遅延量より大きくする。あるいは、遅延部１５０Ｂは、音データＤａの遅延量を小さくする遅延調整の操作を操作部１７０が受け付けると、音データＤａの遅延量を、画像処理の内容に応じて調整済みの現状の遅延量より小さくする。
【００５５】
表示装置１０Ｄでは、音データＤａの遅延量がユーザーにより調整可能であるため、スクリーン４０に表示される映像と音出力装置３０から出力される音とのずれをユーザーが感じない程度まで小さくできる。例えば、表示装置１０Ｄが設置される部屋やホールの大きさ等の設置環境によって、スクリーン４０、音出力装置３０等のスピーカーおよび映像を観るユーザーの位置関係が異なる場合でも、ユーザーは、操作部１７０を操作して映像と音とのずれを低減できる。
【００５６】
以上、第５実施形態においても、第４実施形態と同様の効果を得ることができる。さらに、第５実施形態では、表示装置１０Ｄは、ユーザーによる操作を受け付ける操作部１７０を有する。そして、遅延部１５０Ｂは、音データＤａの遅延量を調整する遅延調整の操作を操作部１７０が受け付けると、音データＤａの遅延量を、遅延調整の操作に応じて調整する。したがって、表示装置１０Ｄでは、音データＤａの遅延量をユーザーによる操作で調整することができ、使い勝手等のユーザービリティを向上させることができる。
【００５７】
＜第６実施形態＞
第６実施形態と第５実施形態の主な相違点は、音データＤａの遅延量が音データＤａのフォーマットに応じて調整される点である。
【００５８】
図９は、第６実施形態に係る表示装置１０Ｅの構成を示すブロック図である。図１から図８で説明済みの要素と同一の要素については、同一の符号を付し、詳細な説明を省略する。表示装置１０Ｅは、遅延部１５０Ｃを図８の遅延部１５０Ｂの代わりに有することを除いて、図８の表示装置１０Ｄと同一である。例えば、表示装置１０Ｅは、受信部１００、分離部１２０、表示処理部１４０、遅延部１５０Ｃ、出力処理部１６０Ａ、操作部１７０、制御部１８０および記憶部１８２を有する。受信部１００、分離部１２０、表示処理部１４０、出力処理部１６０Ａ、操作部１７０、制御部１８０および記憶部１８２は、第５実施形態と同一である。このため、図９では、遅延部１５０Ｃを中心に説明する。なお、図９においても、図を見やすくするために、受信部１００、分離部１２０、投射部１４４および出力処理部１６０Ａの各々と、制御部１８０とを接続する制御線の記載を省略している。
【００５９】
遅延部１５０Ｃは、分離部１２０から受ける音データＤａのフォーマットを検出する。そして、遅延部１５０Ｃは、音データＤａの遅延量を、画像処理部１４２による画像処理の内容と音データＤａのフォーマットとに応じて調整する。すなわち、遅延部１５０Ｃは、ストリームデータＤｓｔから映像データＤｖと音データＤａとを分離してから音データＤａ２を音出力装置３０に出力するまでの遅延量を、画像処理部１４２による画像処理の内容と音データＤａのフォーマットとに応じて調整する。遅延部１５０Ｃのその他の動作は、図８の遅延部１５０Ｂと同一である。
【００６０】
例えば、音データＤａのフォーマットをＨＤＭＩケーブルのＡＲＣに対応するフォーマットに変換する変換処理の処理時間は、音データＤａのフォーマットによって異なる。このため、遅延部１５０Ｃは、音の出力遅延時間と映像の出力遅延時間とが互いに揃うように、表示装置１０Ｅの処理モードと音データＤａのフォーマットとに応じて、音データＤａの遅延量を調整する。なお、音データＤａのフォーマットは、分離部１２０等から遅延部１５０Ｃに通知されてもよい。
【００６１】
以上、第６実施形態においても、第５実施形態と同様の効果を得ることができる。さらに、第６実施形態では、遅延部１５０Ｃは、音データＤａの遅延量を、音データＤａのフォーマットに応じて調整する。この結果、表示装置１０Ｅでは、スクリーン４０に表示する映像と音出力装置３０から出力される音とのずれが音データＤａのフォーマットの違いによってばらつくことを抑制できる。
【００６２】
＜変形例＞
第１実施形態から第６実施形態までの各形態は多様に変形され得る。具体的な変形の態様を以下に例示する。以下の例示から任意に選択される２以上の態様は、相互に矛盾しない範囲で適宜に併合され得る。
【００６３】
＜変形例１＞
第１実施形態から第６実施形態までの各形態では、映像データＤｖと音データＤａとを含むストリームデータＤｓｔを画像再生装置２０から受信部１００が無線で受信するが、ストリームデータＤｓｔの送信元は、画像再生装置２０に限定されない。例えば、受信部１００は、ウェブページ等に表示される動画を、映像データＤｖと音データＤａとを含むストリームデータＤｓｔとして、無線ＬＡＮを用いてネット経由で受信してもよい。変形例１においても、第１実施形態から第６実施形態までの各形態と同様な効果を得ることができる。
【００６４】
＜変形例２＞
第１実施形態から第６実施形態までの各形態において、表示装置１０、１０Ａ、１０Ｂ、１０Ｃ、１０Ｄ、１０Ｅの各々は、内蔵のスピーカーを有してもよい。この場合、出力処理部１６０は、制御部１８０等の制御に基づいて、音データＤａの出力先を、音出力装置３０と内蔵のスピーカーとの間で切り替える。同様に、出力処理部１６０Ａは、制御部１８０等の制御に基づいて、音データＤａ２の出力先を、音出力装置３０と内蔵のスピーカーとの間で切り替える。なお、出力処理部１６０Ａは、内蔵のスピーカーから音を出力する場合で、かつ、音データＤａのフォーマットが内蔵のスピーカーに対応するフォーマットである場合、音データＤａを、フォーマットを変換せずに、内蔵のスピーカーに出力してもよい。
【００６５】
また、遅延部１５０、１５０Ａ、１５０Ｂ、１５０Ｃの各々は、音データＤａ２の出力先に応じて、音データＤａの遅延量を調整してもよい。例えば、遅延部１５０、１５０Ａ、１５０Ｂ、１５０Ｃの各々に設定される音データＤａの遅延量の初期値は、音データＤａ２の出力先が内蔵のスピーカーである場合と、音データＤａ２の出力先が音出力装置３０である場合とで異なる値でもよい。変形例２においても、第１実施形態から第６実施形態までの各形態と同様な効果を得ることができる。
【００６６】
＜変形例３＞
第１実施形態において、出力処理部１６０は、ストリームデータＤｓｔに含まれる音データＤａを、他のフォーマットの音データＤａに変換する変換部を有してもよい。この場合においても、第１実施形態と同様な効果を得ることができる。さらに、変形例３では、ストリームデータＤｓｔに含まれる音データＤａと異なるフォーマットの音データＤａを復号する音出力装置３０を表示装置１０に接続することができ、使い勝手等のユーザービリティを向上させることができる。
【００６７】
＜変形例４＞
第２実施形態から第６実施形態までの各形態において、出力処理部１６０Ａは、複数種類のケーブルに対応するインターフェースとして機能してもよい。例えば、出力処理部１６０Ａは、ＳＰＤＩＦ規格に準拠した光ケーブルが接続される端子、ＳＰＤＩＦ規格に準拠した同軸ケーブルが接続される端子、ＨＤＭＩケーブルが接続される端子等の複数種類の端子を有してもよい。この場合、変換部１６２は、音データＤａのフォーマットを、ＨＤＭＩケーブルのＡＲＣに対応するフォーマットを含む複数種類のフォーマットのうちの音出力装置３０が接続される端子に対応するフォーマットに変換して、音データＤａ２を生成してもよい。変形例４においても、第２実施形態から第６実施形態までの各形態と同様な効果を得ることができる。さらに、変形例４では、ＨＤＭＩケーブルのＡＲＣに対応していない音出力装置３０も表示装置１０に接続することができ、使い勝手等のユーザービリティを向上させることができる。
【００６８】
＜変形例５＞
第３実施形態から第５実施形態までの各形態において、表示装置１０Ｂ、１０Ｃ、１０Ｄの各々は、出力処理部１６０Ａの代わりに出力処理部１６０を有してもよい。この場合においても、第４実施形態および第５実施形態の各形態と同様な効果を得ることができる。
【００６９】
＜変形例６＞
第４実施形態から第６実施形態までの各形態において、遅延部１５０Ａ、１５０Ｂ、１５０Ｃの各々は、投射部１４４内の図示しない光源から出射される光の輝度に応じて、音データＤａの遅延量を調整してもよい。この場合においても、第４実施形態から第６実施形態までの各形態と同様な効果を得ることができる。
【００７０】
＜変形例７＞
受信部１００、分離部１２０、表示処理部１４０、遅延部１５０、１５０Ａ、１５０Ｂ、１５０Ｃおよび出力処理部１６０、１６０Ａの各機能の全部または一部は、ＣＰＵ等が実行するソフトウェアにより実現されてもよい。あるいは、受信部１００、分離部１２０、表示処理部１４０、遅延部１５０、１５０Ａ、１５０Ｂ、１５０Ｃおよび出力処理部１６０、１６０Ａの各機能の全部または一部は、ＦＰＧＡ（field programmable gate array）またはＡＳＩＣ（Application Specific IC）等の電子回路によりハードウェアで実現されてもよい。または、受信部１００、分離部１２０、表示処理部１４０、遅延部１５０、１５０Ａ、１５０Ｂ、１５０Ｃおよび出力処理部１６０、１６０Ａの各機能の全部または一部は、ソフトウェアとハードウェアとの協働により実現されてもよい。
【００７１】
＜変形例８＞
制御部１８０がプロクラムを読み取り実行することによって実現される要素の全部または一部は、例えば、ＦＰＧＡまたはＡＳＩＣ等の電子回路によりハードウェアで実現されてもよいし、ソフトウェアとハードウェアとの協働により実現されてもよい。
【００７２】
＜変形例９＞
第１実施形態から第６実施形態までの各形態において、表示装置１０、１０Ａ、１０Ｂ、１０Ｃ、１０Ｄ、１０Ｅの各々は、プロジェクターに限定されない。例えば、表示装置１０、１０Ａ、１０Ｂ、１０Ｃ、１０Ｄ、１０Ｅの各々は、直視型の液晶ディスプレイ、プラズマディスプレイ等であってもよい。
【符号の説明】
【００７３】
２…ケーブル、１０、１０Ａ、１０Ｂ、１０Ｃ、１０Ｄ、１０Ｅ…表示装置、２０…画像再生装置、３０…音出力装置、４０…スクリーン、１００…受信部、１２０…分離部、１４０…表示処理部、１４２…画像処理部、１４４…投射部、１５０、１５０Ａ、１５０Ｂ、１５０Ｃ…遅延部、１６０、１６０Ａ…出力処理部、１６２…変換部、１７０…操作部、１８０…制御部、１８２…記憶部。
【図１】
2019220765.tif 000003
【図２】
2019220765.tif 000004
【図３】
2019220765.tif 000005
【図４】
2019220765.tif 000006
【図５】
2019220765.tif 000007
【図６】
2019220765.tif 000008
【図７】
2019220765.tif 000009
【図８】
2019220765.tif 000010
【図９】
2019220765.tif 000011